(57)【要約】  本発明は、フレームと、フレームに接続されてフレームを床で支持するための支持平面を形成する支持手段とを備える調節可能シートを有する子供用いすに関する。本発明は、いすの使用位置では支持平面から少なくとも部分的に傾斜して突出する少なくとも２つの実質的に平行である垂直材をフレームが備え、子供用いすがさらに、垂直材に沿って調節可能であり２つの垂直材に係合するための係合手段が設けられている部分を備え、係合手段が、垂直材の周の一部に係合するための少なくとも１つの受容室を有することを特徴とする。
2008513095.tif 000002
【特許請求の範囲】
【請求項１】
フレームと、フレームに接続されてフレームを床で支持するための支持平面を形成する支持手段とを備える調節可能シートを有する子供用いすであって、フレームが、いすの使用位置では少なくとも部分的に支持平面から傾斜して突出する少なくとも２つの実質的に平行の垂直材を備え、子供用いすがさらに、２つの垂直材に係合するための係合手段を備え垂直材に沿って調節可能であるシート部分のような部分を備え、係合手段が、垂直材の周の一部に係合するための少なくとも１つの受容室を有する、子供用いす。
【請求項２】
受容室が、垂直材を受けるための開口部であることを特徴とする、請求項１に記載の子供用いす。
【請求項３】
２つの垂直材が共に実質的にＵ字型の垂直材の一部を形成することを特徴とする、請求項１または２に記載の子供用いす。
【請求項４】
垂直材が、Ｕ字型に湾曲した鋼管により形成されることを特徴とする、請求項３に記載の子供用いす。
【請求項５】
支持手段が管状部分により形成されることを特徴とする、請求項１から４のいずれか一項に記載の子供用いす。
【請求項６】
管状部分には支持点が備えられることを特徴とする、請求項５に記載の子供用いす。
【請求項７】
支持手段がＵ字管を備えることを特徴とする、請求項５または６に記載の子供用いす。
【請求項８】
フレームが、実質的にＵ字型の２つの部分により形成され、各部分の脚部が相互に接続されることを特徴とする、請求項７に記載の子供用いす。
【請求項９】
２つの平行の垂直材の外側端部が支持手段の一部を形成することを特徴とする、請求項１から８のいずれか一項に記載の子供用いす。
【請求項１０】
平行の垂直材がそれぞれ調節部分を有し、垂直材が少なくとも１０ｃｍの長さに渡り実質的に直線状であり、垂直材が相互に平行に延伸することを特徴とする、請求項１から９のいずれか一項に記載の子供用いす。
【請求項１１】
調節部分が、支持手段から傾斜して延伸することを特徴とする、請求項１０に記載の子供用いす。
【請求項１２】
係合手段の凹部が、シート部分のシート面に対して角度をつけて配置され、この角度が、垂直材の支持平面に対する角度に実質的に対応することを特徴とする、請求項１から１１のいずれか一項に記載の子供用いす。
【請求項１３】
いすが、２つの垂直材を係合するための係合手段を備えるテーブル部分も備え、係合手段が垂直材を受けるための少なくとも１つの開口部を有することを特徴とする、請求項１から１２のいずれか一項に記載の子供用いす。
【請求項１４】
バックレストが、平行な垂直材の間に設けられることを特徴とする、請求項１から１３のいずれか一項に記載の子供用いす。
【発明の詳細な説明】
【技術分野】
【０００１】
本発明は、フレームと、フレームに接続されてフレームを床で支持するための支持平面を形成する支持手段と、シート部分とを備える調節可能シートを有する子供用いすに関する。米国特許第４，１０９，９６１号からは、調節可能なフットレストと調節可能なシートとを有するいすが公知である。このいすは木製であり、人が座り、場合によっては脚を載せることができるようにシートおよびフットレスト用のプレート状部分を受ける溝が設けられている２つの平行な垂直部分を有する。
【背景技術】
【０００２】
調節可能シートを有する公知のいすの問題は、いすの重量が大きいことである。本発明の目的は、重量を低減するために使用される材料が少ない、調節可能シートを有する子供用いすを提供することである。第２の態様に係り、本発明の目的はコストを低減させることである。
【発明の開示】
【課題を解決するための手段】
【０００３】
この目的は本発明において、いすの使用位置では支持平面から少なくとも部分的に傾斜して突出する少なくとも２つの実質的に平行である垂直材をフレームが備え、子供用いすがさらに、垂直材に沿って調節可能であり２つの垂直材に係合するための係合手段が設けられているシート部分のような部分を備え、係合手段が、垂直材の周の一部に係合するための少なくとも１つの受容室を有することにより達成される。垂直材は、係合手段／調節可能部分の方向への垂直材の動きが阻止されるように係合される。シート部分自体は、フレームの一部となり、このフレームの剛性に寄与する。垂直材は相互に特殊な係合により位置決めされ保持される。これは、シートがこのいすの垂直部材間に固定的ではなく配置されている上述の先行技術とは対照的である。受容室は部分的に開いていることが可能である。垂直材は、室の開放している側を介して受容室内へ配置されることが可能である。受容室の開口部は、垂直材に対して実質的に平行に、支持平面に対して平行であることが多い調整可能部分の平面に対して実質的に直角に延伸する。垂直材は支持平面から部分的に角度をつけて延伸する。支持平面は、いすが置かれる地面に対して部分的に平行に延伸する。これは水平面であることが多い。しかし、地面が隆起している場所では、支持平面は地面と同一ではない。
【０００４】
好適な実施形態に係り、係合手段は垂直材を受けるための開口部を有する。垂直材は取り囲まれる形で係合されるため、垂直材はシート部分によって相互に対して相対的に位置決めされる。開口部は、本発明に係る受容室の形、すなわち閉鎖された室である。室は閉鎖されているため、垂直材が離れることは不可能である。
【０００５】
好適な実施形態に係り、２つの垂直材は共に、実質的にＵ字型の管の一部を形成する。２つの垂直材は、管のような１つの基本材料から製造されることが可能である。好適な実施形態に係り、垂直材は鋼管のような金属管を曲げることにより、Ｕ字型に形成される。シート部分が取り付けられるべき、子供用いすの垂直部分は、１つの基本材料から形成される。シートまたはバックレストの部分それぞれは、Ｕ字型部分に接続可能である。バックレストは好適にはＵ字型部分の基部の内側に設けられる。
【０００６】
さらなる好適な実施形態では、支持手段は、好適には支持点が設けられる管状部分を備える。これによって支持手段にも同じ材料が使用可能である。支持点は、管状部分に沿った異なる位置に、たとえばスタッドの形で設けられることが可能である。
【０００７】
支持手段は好適にはＵ字型の管を備える。支持手段を形成するためには、フレームの垂直部分の垂直材の製造方法と同じ方法を用いることが可能である。
【０００８】
好適な実施形態では、支持手段用の２つの実質的にＵ字型の部分およびフレームの垂直部分は、脚部の外側端部で相互に接続される。これにより、シート部分のような調節可能部分が、平行な垂直部分を相互の位置に配置するための追加的な補強手段としても使用される、極めて簡単なフレームが得られる。
【０００９】
好適な実施形態では、２つの平行な垂直材を形成する垂直材の外側端部は、支持手段の一部を形成する。フレーム、特にシート部分にかかる重量が、垂直材を介して支持手段に直接伝達される。この実施形態に係り、Ｖ字型のフレームが得られ、このＶ字型の一方の脚部は、床上で支持するための支持平面を形成する支持手段の一部を形成し、他方の脚部は、調節可能部分により係合されるための平行な垂直材を形成する支持手段から立つように配置されるフレームの一部である。
【００１０】
好適には平行な垂直材はそれぞれ調節部分を有し、垂直材は少なくとも１０ｃｍの長さに渡り実質的に直線状であり、垂直材は相互に平行に延伸する。シート部分のような調節可能部分はこの調節部分に係合可能であり、これによりシート位置を少なくとも１０ｃｍずらすことが可能である、調節可能シートを有する子供用いすが得られる。
【００１１】
別の実施形態に係り、調節部分は、支持手段上方で実質的に傾斜して延伸する。これにより、支持手段がＶ字の一方の脚部を形成し、調整部分がＶの第２の脚部を形成する実質的にＶ字型を有するいすが得られる。たとえば比較的大きい子供用に、シートを調節部分に沿って調節することにより、シート部分は調節部分に沿って斜め下方へ移動し、その際使用者の重心は支持手段に向かって動かされるだけでなく、支持手段に対して相対的に移動される。ここでは、いすの使用者の身長が伸びると脚も長くなるということも特に考慮され、バックレストとシートとの間の距離を伸ばすことが可能である。
【００１２】
好適には係合手段の凹部は、シート部分のシート面に対して角度をつけて配置されており、この角度は、支持平面に対する垂直材の角度と実質的に等しい。これにより、支持平面、垂直材およびシート部分の間にＺ形状が作られる。したがって、シート部分は、支持平面が水平である場合は実質的に水平に配置される。
【００１３】
さらに子供用いすは、好適にはテーブル部分または食事トレイである緩衝器を備える。これは、２つの垂直材に係合するための係合手段を備え、係合手段は、垂直材を受けるための少なくとも１つの開口部を有する。テーブル部分／緩衝器の使用により、子供がシートを離れることが回避される。さらに、調節可能部分は、フレームにさらに剛性を与える機能も有する。２つの調節可能部分を使用することにより、フレームの垂直材は相互に相対的な２つの位置に配置される。
【００１４】
テーブル部分／緩衝器は好適には、緩衝器／テーブル部分から調節可能シート部分へ延伸するクロッチバーを備え、このクロッチバーの長さは調節可能である。クロッチバーは、好適には差込具によりシート部分に係合する。シート部分内には、クロッチバーをシート部分に係合するための凹部が設けられている。長さが調節可能であるため、緩衝器とシートとの間の様々な距離が設定可能である。
【００１５】
好適には、垂直材を係合するための係合手段は、突起し可動であり好適には摺動可能である部分を備え、これは好適にはばね手段により付勢される。その突起部分は、垂直材内に設けられる凹部で受けられることが可能である。調整により、突起部分を引き込むこと
が可能であり、調節可能部分はロック解除され、調節されることが可能である。
【００１６】
支持手段はやわらかい材料により設けられることが可能であり、これによりいすを地面上で移動させる際に地面に損傷を与えることが回避される。
【００１７】
支持手段のＵ字型部分およびフレームの垂直部分は好適には相互に接続され、好適には２０°から７０°の角度で接続され、さらに別の実施形態では３０°から６０°の角度で接続される。これによりＶ字型のフレームが得られる。支持手段といすのフレームの垂直部分との接続は好適にはわずかに弾力的である。これにより、いすの使用者にとって好ましい効果が得られる。これは、いすが子供に使用される際に特に望ましい。
【００１８】
調節可能部分は、いすのモジュール部分を形成する。たとえば、シート、クロッチバー、テーブルおよびフットレストである。全ての部分が、凹部による係合手段によりフレームをさらに補強する。
【００１９】
２つの凹部によって、また調節可能部分を傾斜することが可能であり、その際垂直材が係合手段の第１凹部から、より大きい第２凹部へ移行することによって、少なくとも２つの使用位置ができる。第１の使用位置はでは、調節可能部分は垂直材の周囲に締め付けられ、第２の位置では調節可能部分がいすの垂直材に沿って摺動可能である。
【００２０】
一実施形態では、調節可能部分は、たとえば締め付け係合により、フレームの垂直材／管に沿って無段階で調節可能である。係合手段は好適には、位置を固定できる固定手段である。固定手段はプラスチック製であり、たとえば射出成形により形成される。好適な実施形態では、１つの垂直材用に、１つの係合手段内に共通の角度の２つの軸を有する２つの凹部が設けられる。一方の凹部は他方より大きい。小さい方の凹部は、フレームの管の直径と実質的に等しいか、またはこれよりわずかに小さい。この締め付け位置から係合手段は、抵抗に反して傾斜されることが可能であり、これによりフレームの管か一方の凹部から他方の凹部へ、すなわち小さい方から大きい方の凹部へ至る。大きい凹部内で受けられる垂直材は、新たな位置へ容易に移動可能である。調節可能部分は所望の位置で後ろへ傾けられ、フレームの管に固定されることが可能である。取り囲んで係合することにより、フレームの管は支持手段、特にフットレストにより相互に相対的に配置される。
【００２１】
調節可能部分、特にシート部分およびフットレストは、好適には剛性であり、垂直材は係合手段の凹部内に調節可能部分のいずれかの側の外側端部で受けられることが可能である。
【００２２】
別の実施形態では、係合手段はたとえば相互に接続される２つのプラスチック部分により形成されることが可能であり、その際垂直材は、凹部を形成する接続される部分の間に挟まれる。
【００２３】
別の実施形態では、いすのフレームは別の方法で係合可能である。特にここではフック式の固定が可能である。
【００２４】
別の実施形態に係り、シート面のフレームへの係合／固定手段は、締め付けによりフレームに係合する。一実施形態では固定手段は、ピンを有するハンドルを備え、このピンはフレーム、特に垂直材の位置決め孔に係合可能である。ハンドルを用いて、シート面は所望の位置に固定可能である。垂直管には、ピンが係合可能である穴が所望の間隔で開けられ、これによりシート面が固定可能である。ハンドルは旋回可能にシート面に接続されており操作が可能である。
【００２５】
操作部、この場合ハンドルは、好適にはシート面の下側に設けられ、これは使用者、特にいすを使用する子供が到達し難い場所である。別の実施形態では、取り付け部は連続的な形を有する。
【００２６】
緩衝バーは好適には、支持手段、特に垂直材用の係合手段の外側端部に設けられる湾曲管により形成され、その際湾曲管の実質的に中央にクロッチバーが設けられている。クロッチバーの自由端には、たとえばピンが備えられる固定手段が設けられ、この手段は（調節可能）シート面内の凹部と協働可能である。これによりクロッチバーと緩衝バーとの間の堅固な接続がシート面に対して得られる。
【００２７】
別の実施形態に係り、本発明に係るいすは食事トレイを備える。これもまたフレーム用の追加的な補強手段である。食事トレイにはクロッチバーが備えられる。クロッチバーはシート面に接続可能である。
【００２８】
好適には食事トレイには、フレームに係合する係合手段が設けられている。固定手段は好適には、バックレスト管がフレームに固定されている隆起部に係合する。食事トレイの固定手段は好適には締め付け手段により形成され、これは好適には、ヒンジ状に相互に接続される２つの部分からなる。第１部分は食事トレイのアームに固定的に接続される。第２部分はヒンジ状に第１部分に接続され、フレームの凹部、特にフレームのバックレストの固定手段の外側に設けられる凹部に係合可能である突起部を備える。これは、ここで受けられる管に対して実質的に平行である、フレームのバックレストの固定手段の長手方向の凹部であることが可能である。管および／または突起部はこれにより締め付けられて係合される。
【００２９】
本発明は、子供用いす、特に調節可能な子供用いすのフレーム用の特殊な管に関するものでもある。本発明に係り、この管は実質的に円形の断面を有する。管は、外周に設けられる凹部またはリッジ部も有する。リッジ部は、たとえばシート部分またはバックレスト部分のような子供用いすの支持部分、特にプラスチック製の支持部分の外周を受けることが可能である。外周は部分的に凹部で受けられ、部分的に覆われることが可能である。プラスチック部分の外周は鋭く、事故または怪我が生じる可能性がある。支持部分の周縁部は、フレームの管の内側に設けられる補助部分内で受けられることも可能であり、補助部分はシート部分用の接触面を有する。
【発明を実施するための最良の形態】
【００３０】
本発明を添付の図面を参照して以下に詳しく説明する。
図１は、第１実施形態に係る調節可能シートを有する子供用いす１を示す。このいすは、相互にＵ字型部分４により接続される第１平行垂直材２と、第２平行垂直材３とを含む複数のフレーム部分からなる。垂直材２、３および接続部分４は、湾曲した単一の管から形成される。
【００３１】
フレームはさらに、使用位置では床（不図示）で支持されるスタッドにより形成される複数の支持点６、７、８、９が設けられているＵ字管により形成される支持手段５を備える。図１は、床（不図示）上での使用位置における子供用いすを示す。
【００３２】
垂直材２、３の外側端部は、図示される実施形態ではＵ字型部分２、３、４に連結される管部分である湾曲部材１１、１２により形成される。湾曲部分１１、１２は、垂直材２、３の管端部に取り外し可能に接続され、スタッド８および７は、管部分１１、１２の他方の外側端部に接続される。垂直材２，３の重さによりスタッド７、８が直接押圧される。
【００３３】
垂直材２、３は、支持手段５の支持平面と角度αをなす。湾曲部分１１、１２は実質的に同じ角度でＵ字に湾曲している。管状部分２、３、４は、図１に示される使用位置では手段５から傾斜して突出する。角度αは好適には２０°から７０°の間にあり、図示される実施形態ではおよそ４５°である。
【００３４】
垂直材２、３は、矢印１３で示される長さで延伸する調節部分を有する。垂直材２、３のこの部分は、実質的にまっすぐであり、ここでは２つの垂直材は平行に延伸する。
【００３５】
傾斜して延伸するフレーム部分のＵ字型部分２、３、４の内側には、たとえばプラスチック製のバックレスト部分１４が設けられる。バックレスト部分１４は、爪の形状を有する。バックレスト部分には、周に沿って、管部分４が受けられる受入溝が設けられると共に、垂直材２、３と係合する係合手段１５が設けられている。係合手段１５は、垂直材３の凹部に締め付け、または係合されることが可能である。
【００３６】
子供用いす１にはさらに、調節可能部分１６および１７が設けられる。これはそれぞれシート部分とフットレストである。シート部分１６は、図４、５、７にさらに詳しく示される。フットレストは図６にさらに詳しく示される。
【００３７】
シート部分１６は、シート面１７と湾曲管１８とを有し、係合手段１９および２０が外側端部に配置される。係合手段１９、２０は、垂直材３、２に係合し、矢印１３で示される調節部分に渡り移動可能である。係合手段は図５にさらに詳しく示される。係合手段には凹部が設けられ、ここを通り垂直材２、３が突出する。
【００３８】
管２２と、管の外側端部に設けられると共にフレームの管部分４に係合する係合手段２３、２４と、Ｕ字管２２の内側と係合手段２３、２４との間に締め付けられるテーブル面２５と、により形成される食事トレイ２１も示される。食事トレイにはクロッチバー２６が接続され、これは食事トレイの下面に設けられ、シート１７の凹部内へ突出する。この接続部は図７に示される。
【００３９】
図示される実施形態では、係合手段２３、２４は、シートの係合手段と類似のものである。これらは、管２、３、４の部分に係合する。係合手段が係合する凹部が、管の適切な位置に配置可能である。別の実施形態では、係合手段２３、２４はバックレストの締め付け手段１５に係合する。これは、図９Ａ、９Ｂ、９Ｃに示される。
【００４０】
図２は子供用いす３０の別の実施形態を示す。ここでは、食事トレイ２１に代わって緩衝バー３１が備えられる。緩衝バーは湾曲管３２からなり、これには端部に締め付け手段３３、３４が設けられ、中央には、係合手段３７によりシート１６に係合するクロッチバー３６に湾曲管３２を接続する接続部材３５が設けられる。
【００４１】
図３は、調節可能シート１６を有する子供用いす４０の第３の実施形態を示す。フレームは管から構成される２つのＵ字型部分により形成され、Ｕ字型部分は相互に管端部で接続され、これにより側方から見るとＶ字型の子供用いすが得られる。
【００４２】
図４は、図３の矢印ＩＶから見た図を示す。シート１７の下面が示されている。フットレスト１７の外側端部に固定される係合手段２７が固定されている垂直材３も示される。垂直材３の調節部分の下面からは、シート１６の係合手段１９も見られ、関連の締め付けおよび固定手段が垂直材３に見られる。
【００４３】
垂直材３は、係合手段２７の凹部２８および係合手段１９の凹部２９で受けられる。
垂直材３は部分的に丸くなっている周を有する。後方（図１および図２が正面図である
とする場合）では、垂直材３は平板化され、複数の凹部５０が設けられる。凹部内には係合手段の突起手段が受けられることが可能であり、これにより調節可能部分の垂直材への固定が可能になる。図４に示される実施形態では、係合手段１９は、調整可能要素５２の一部をなす突起部分５１であり、調整可能要素は係合手段１９内に収容されるガイド手段により矢印５４の方向に移動可能である。部分５１のガイド手段の突起部５５が示されており、これは矢印５４の方向に作用する。図１および２に示される使用位置では、調整可能留め具５２は係合手段１９の下面に配置され、これにより子供用いす１または３０を使用する子供が調整可能要素５２に容易に到達し、シートが解除されてしまうことが不可能になる。図５は調整可能要素の断面を示す。ばね張力調整により、図示される実施形態では渦巻ばね５６により、調整可能ブロック５２が垂直材の凹部５０の方向へ付勢される。使用者が突起部５７を係合し、これを矢印５５の方向へ動かすと、突起部分５１は凹部から出ることが可能であり、垂直材は矢印５８の方向へ、すなわち垂直材３に沿って動かされることが可能である。
【００４４】
図５も、符号５９で示されるシートの平面が垂直材３と角度αをなすことを示しており、角度αは図１の角度αと同じである。シートは実際には、垂直材３と、支持平面を形成する支持手段とによりＺ型の形状をなす。これにより、支持手段の支持平面と実質的に平行に延伸するシート面が形成される。いすが水平面に配置される場合、シートも水平である。
【００４５】
係合部分１９は射出成形により形成される。
図４も、２つの凹部を備える係合手段２７を示す。２つの凹部の軸線６０および６１が示されている。軸線６０は１つの凹部と関連しており、その周縁部６２の一部が見えており、軸線６１は１つの凹部と関連しており、その周縁部６３の一部が見えている。周縁部６２は周縁部６３より小さい直径を有する。垂直材３は完全に円形ではないため、周縁部６３も完全な円形ではない。
【００４６】
図６は係合手段２７の断面を示す。図４および６の図示される位置では、垂直材は第１凹部の周縁部６２により締め付けによって係合される。これによりフットレスト１７が垂直材３に締め付けられ固定される。フットレスト１７の矢印６４の方向への上方への傾動のためには、係合手段の締め付け突起部６５による障害を乗り越える必要があるが、これを越えると垂直材は、軸線６１を有する凹部内で受けられる。この凹部の直径は大きく、垂直材は締め付けられない。この後、垂直材は、矢印６６の方向で垂直材に沿って調節可能であり、新たな位置へ動かされる。この調節は無段階である。新たな位置に到達すると、フットレストが実質的に水平な位置へと傾動され、この位置では垂直材は再び、軸線６０を有する凹部で受けられる。ここではフットレストは再度垂直材に締め付けにより接続され、動かすことが不可能になる。フットレストは、子供の足を乗せるための支持部として利用可能である。
【００４７】
食事トレイとシート両方、およびフットレストならびに緩衝バーも複数の剛性部分を有する。これは、係合手段が、垂直材に係合するそれぞれの外側端部で、常に相互に固定の距離を開けていることを保証するものである。調節可能部分の両側の係合手段の対応する凹部は、常に距離６７を開けて配置される軸を有する。これにより、任意に調節可能である部分を用いて、垂直材２と３との間の距離が、常に距離６７と実質的に等しいことが保証される。したがって、調節可能部分は、垂直材の相互に対する相対的な位置を確実にするフレームの追加的な部分を形成する。これにより本発明に係る子供用いすは、非常に簡単に組み立てられ、調節可能部分を配置することによりさらに剛性を高めることが達成される。したがって、本発明に係る子供用いすは少なくとも１つの調節可能部分を有する。
【００４８】
図７は、シート１７の下面の矢印ＶＩＩから見た詳細図を示す。図８はシート１７の斜
視図を示す。シートの中央付近には、シート１７の凹部７０が配置され、ここをクロッチバー３６の係止部分を形成する突起部分７１、７２が通る。係止要素７１、７２は凹部７０内に挿入可能であり、シート１７の下面から突出する。下面には、矢印７４の方向へ回転可能である回転可能なロックディスク７３が設けられる。開放位置では係止部７１、７２は凹部７０を通り配置され、ディスク７３は、把持可能である突起部７５により図７に示される位置へ回転されることが可能である。その際、係止部７１、７２はディスクに係合し解除されない。
【００４９】
図７は、湾曲管１８のシート１７への接続要素７６による接続も示す。
図９Ａは、垂直材用の係合手段、ここでは食事トレイの係合手段の別の実施形態を示す。管１００の外側端部には２つの部分１０２、１０３からなる係合手段１００が設けられ、第２部分１０３はシャフト１０４上で旋回可能に第１部分１０２と接続する。両部分は射出成形により得られる。図９Ｂは、バックレスト１４の管３、４の構成部分への固定を示す。図示される係合手段１１０は図１に示される係合手段とは異なる。係合手段は、管３、４に締め付けにより接続され、選択的にねじ締めにより接続される。これによりしっかりと固定される。係合手段１１０にはバックレストの管１１１用の受容空間が設けられる。
【００５０】
係合手段１１０には、管に対して平行に、実質的に長手方向に延伸する溝１１２も設けられる。第２ヒンジ部分１０２の突起部１１３は、図９Ｃに示されるように溝１１２内で受けられることが可能である。操作手段１１４により、突起部は溝１１２内に配置可能であり、係合手段１０１はバックレスト１１０の締め付け手段１１０に係合する。
【００５１】
一実施形態では、締め付け手段１１０は、垂直材３とＵ字型部分４との間に配置される。
【００５２】
図１０は、いすまたは子供用いすの支持部分１３０を示す。これはバックレストに関する。バックレストは、爪の形状を有する部分として形成され、フレーム１３１のＵ字型基部内に包囲されている。フレーム１３１の内周には、プラスチックの補助部分１３２が設けられており、これには接触面１３３と固定点１３４が設けられる。接触面はバックレスト１３０の外周と接続し、固定点は、ねじのような固定手段を用いてバックレストの対応部分１３５に接続されることが可能である。
【００５３】
周縁部１３６は、管１３８のリッジ部または凹部１３７内で受けられ、この管はフレームの２つの垂直材１３９、１４０を相互に接続する。垂直材用の係合手段は、管１３８の外側端部に設けられる。管は円形の断面を有するが、その全長に渡り、縁部１３６が受けられるリッジ部も設けられている。これにより縁部１３６のリッジ部１３８への円滑な接続が達成される。リッジ部により、縁部１３６が傾斜したスロープ状の形を有する必要がなくなる。
【００５４】
図１１は、調節可能シート部分の類似の詳細図を示す。ここでも管は実質的に円形の断面を有する。管にはリッジ部が設けられる。周縁部がリッジ部で受けられる。
【００５５】
本発明は複数の実施形態に基づき説明されている。記載された複数の手段の様々な組み合わせが分割出願に適切である。分割出願の対象は、上述の説明においてその長所が記載されている構成要素に限定されず、説明を簡潔にするため長所の記述が省略されている上述の手段に関することも可能である。
【図面の簡単な説明】
【００５６】
【図１】第１実施形態の斜視図である。
【図２】第２実施形態の斜視図である。
【図３】第３実施形態の斜視図である。
【図４】図２の矢印ＩＶによる詳細の斜視図である。
【図５】図２の線Ｖ−Ｖに沿った断面である。
【図６】図１の線ＶＩ−ＶＩに沿った断面である。
【図７】図２の矢印ＶＩＩによる詳細図である。
【図８】別の実施形態に係る、シートおよびクロッチバーの斜視図である。
【図９Ａ】食事トレイの係合手段の別の実施形態の詳細である。
【図９Ｂ】バックレストの係合手段の詳細である。
【図９Ｃ】バックレストの係合手段の詳細である。
【図１０】本発明に係るフレーム用のバックレストおよび管の詳細である。
【図１１】調節可能シート部分の詳細である。
【図１】
2008513095.tif 000003
【図２】
2008513095.tif 000004
【図３】
2008513095.tif 000005
【図４】
2008513095.tif 000006
【図５】
2008513095.tif 000007
【図６】
2008513095.tif 000008
【図７】
2008513095.tif 000009
【図８】
2008513095.tif 000010
【図９Ａ】
2008513095.tif 000011
【図９Ｂ】
2008513095.tif 000012
【図９Ｃ】
2008513095.tif 000013
【図１０】
2008513095.tif 000014
【図１１】
2008513095.tif 000015
【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
フレームと、フレームに接続されてフレームを床で支持するための支持平面を形成する支持手段とを備える調節可能シートを有する子供用いすであって、フレームが、いすの使用位置では少なくとも部分的に支持平面から傾斜して突出する少なくとも２つの実質的に平行の垂直材を備え、子供用いすがさらに、２つの垂直材に係合するための係合手段を備え垂直材に沿って調節可能であるシート部分を備え、係合手段が、垂直材の周の一部を係合するための少なくとも１つの受容室を有し、２つの垂直材が共に実質的にＵ字型の垂直材の一部を形成し、支持平面と反対の端部にてＵ字型垂直材の基部の内側にバックレストが設けられる、子供用いす。
【請求項２】
垂直材が、Ｕ字型に湾曲した鋼管により形成されることを特徴とする、請求項１に記載の子供用いす。
【請求項３】
バックレストが、垂直材の管部分が受けられることが可能である受容縁部を周に沿って有することを特徴とする、請求項２に記載の子供用いす。
【請求項４】
受容室が、垂直材を受けるための開口部であることを特徴とする、請求項１から３のいずれかに記載の子供用いす。
【請求項５】
支持手段が管状部分により形成されることを特徴とする、請求項１から４のいずれか一項に記載の子供用いす。
【請求項６】
管状部分には支持点が備えられることを特徴とする、請求項５に記載の子供用いす。
【請求項７】
支持手段がＵ字管を備えることを特徴とする、請求項５または６に記載の子供用いす。
【請求項８】
フレームが、実質的にＵ字型の２つの部分により形成され、各部分の脚部が相互に接続されることを特徴とする、請求項７に記載の子供用いす。
【請求項９】
２つの平行の垂直材の外側端部が支持手段の一部を形成することを特徴とする、請求項１から８のいずれか一項に記載の子供用いす。
【請求項１０】
平行の垂直材がそれぞれ調節部分を有し、垂直材が少なくとも１０ｃｍの長さに渡り実質的に直線状であり、垂直材が相互に平行に延伸することを特徴とする、請求項１から９のいずれか一項に記載の子供用いす。
【請求項１１】
調節部分が、支持手段から傾斜して延伸することを特徴とする、請求項１０に記載の子供用いす。
【請求項１２】
係合手段の凹部が、シート部分のシート面に対して角度をつけて配置され、この角度が、垂直材の支持平面に対する角度に実質的に対応することを特徴とする、請求項１から１１のいずれか一項に記載の子供用いす。
【請求項１３】
いすが、２つの垂直材を係合するための係合手段を備えるテーブル部分も備え、係合手段が垂直材を受けるための少なくとも１つの開口部を有することを特徴とする、請求項１から１２のいずれか一項に記載の子供用いす。
【国際調査報告】
2008513095.tif 000016
2008513095.tif 000017